(57)【要約】【課題】  ＩＤにおいても本システムでの登録と外部接続端末からの登録を識別・管理することができる画像形成装置を提供する。【解決手段】  静脈パターンと指の指紋との組み合わせでオペレータの認識を行い、認識データ記憶手段１１４に登録された人間のみ利用する事ができ、手の甲の静脈パターン若しくは指の指紋に関する情報を所定のフォーマットで取り込み、個人別に登録する事ができ、接続される外部接続端末等から所定の形式にて読み取った手の甲の静脈パターン若しくは指の指紋に関する情報を、外部接続端末等からＩＤ情報として登録でき、外部接続端末からの登録情報と、直接登録された手の甲の静脈パターン若しくは指の指紋に関する情報とを別のメモリ領域に蓄積し、管理を行う。【選択図】  図１
2006347026.tif 000002
【特許請求の範囲】
【請求項１】
セキュリティ手段を備えた画像形成装置において、
手の甲の静脈パターンを認識する静脈パターン認識手段と、指の指紋を認識する指指紋認識手段と、前記静脈パターン認識手段及び指指紋認識手段と共に入力された個人情報をデータとして記憶する認識データ記憶手段と、予め記憶登録されたデータと前記静脈パターン認識手段及び指指紋認識手段との比較を行い同じか否かを判定する照合手段と、を備えたことを特徴とする画像形成装置。
【請求項２】
請求項１記載の画像形成装置において、
前記認識データ記憶手段に登録されたデータのうち、外部接続端末からの登録情報を蓄積している領域を定期的に監視して、登録から現在までの期間が所定の期間に達した場合、前記認識データ記憶手段の当該領域の該当データを消去することを特徴とする画像形成装置。
【請求項３】
請求項２記載の画像形成装置において、
前記外部接続端末等から登録されたデータを消去するまでの期間を任意に設定可能としたことを特徴とする画像形成装置。
【発明の詳細な説明】
【技術分野】
【０００１】
本発明は、複写機、プリンタ、ファクシミリ装置などの画像形成装置に関し、特に、ＩＤにおいても本システムでの登録と外部接続端末からの登録を識別・管理することができる画像形成装置に関する。
【背景技術】
【０００２】
指紋や静脈パターンは、個人識別力が高い。よって、指紋や静脈パターンは、特定の個人のみが使用を許されるような装置やシステム等のセキュリティに利用される。この点は、画像形成装置においても同様である。
従来の静脈パターンによる個人識別技術は、手の甲に近赤外線を反射させ、その静脈パターンを抽出して、予めメモリに記憶されている静脈パターンと比較することにより、個人識別を図っている（例えば、特許文献１参照）。
また、スタートキーがオンされると、使用者の指紋が認識され、その指紋が既にメモリに登録されているか否かが判定され、登録されている場合のみにコピーを開始するといった指紋による個人識別を行う画像形成装置もある（例えば、特許文献２参照）。さらに、このような技術を背景として静脈パターン及び指紋を識別するようにした技術も提案されている。
【特許文献１】特開平１０−２９５６７４号公報
【特許文献２】特開２０００−２２１８５１公報
【発明の開示】
【発明が解決しようとする課題】
【０００３】
しかしながら、指紋及び手の甲の静脈パターンの認識による個人識別及び特定化技術としては、上述の従来技術では実用化という面で今ひとつであり、また、これまでの技術では、接続される端末等から登録とした情報と本システムから登録した情報を識別できず、セキュリティ管理面において満足が得られなかった。
そこで、本発明は、上述した実情を考慮してなされたもので、ＩＤにおいても本システムでの登録と外部接続端末からの登録を識別・管理することができる画像形成装置を提供することを目的とする。
【課題を解決するための手段】
【０００４】
上記の課題を解決するために、請求項１に記載の発明は、セキュリティ手段を備えた画像形成装置において、手の甲の静脈パターンを認識する静脈パターン認識手段と、指の指紋を認識する指指紋認識手段と、前記静脈パターン認識手段及び指指紋認識手段と共に入力された個人情報をデータとして記憶する認識データ記憶手段と、予め記憶登録されたデータと前記静脈パターン認識手段及び指指紋認識手段との比較を行い同じか否かを判定する照合手段と、を備えたことを特徴とする。
また、請求項２に記載の発明では、請求項１記載の画像形成装置において、前記認識データ記憶手段に登録されたデータのうち、外部接続端末からの登録情報を蓄積している領域を定期的に監視して、登録から現在までの期間が所定の期間に達した場合、前記認識データ記憶手段の当該領域の該当データを消去することを特徴とする。
また、請求項３に記載の発明では、請求項２記載の画像形成装置において、前記外部接続端末等から登録されたデータを消去するまでの期間を任意に設定可能としたことを特徴とする。
【発明の効果】
【０００５】
本発明によれば、ＩＤにおいても本システムでの登録と、外部接続端末からの登録を識別・管理する事ができるので、所定の形式にて読み取った手の甲の静脈パターン若しくは指の指紋に関する情報という精度の高いＩＤに対してよりセキュリティ性を向上させることができる。
また、外部接続端末からの登録ＩＤに対して利用期間制限を設けるので、更にセキュリティ性を高めることができる。また、外部接続端末からの登録ＩＤに対して設ける利用制限期間を任意に設定できるので、高めたセキュリティ性に柔軟性を持たせ、状況に応じたセキュリティ対応を実現できる。
【発明を実施するための最良の形態】
【０００６】
以下、図面を参照して、本発明を実施するための最良の形態を詳細に説明する。図１は、本発明を実施するための最良の形態である画像形成装置のブロック図である。図１において、１０１は本画像形成装置のシステム制御を行うＣＰＵであり、ＣＰＵ１０１がＲＯＭ１０２に格納されているプログラムに従って、ＲＡＭ１０３をワークエリアに使用しつつ、本画像形成装置を統括する。
１０４はオペレータが各種設定等を行う為の操作パネル、紙サイズ検知やジャム検知等を行う各種センサー１０５の入力及び負荷を駆動する各種モーター１０６の出力制御信号をＣＰＵ１０１の命令に基づいて制御を行うのがＩ／Ｏ制御部１０７である。１０８はスキャナ部、１０９はスキャナ部１０８を制御する読取り制御部、１１０はプロッター部、１１１はプロッター部１１０の制御を行う書込み制御部である。
１１２は手の甲の静脈パターンを認識する静脈パターン認識手段、１１３は指の指紋を認識する指紋認識手段、１１４はそれらと共に入力された個人情報をデータとして記憶しておく為の登録手段としての認識データ記憶手段、１１５は予め記憶・登録されたデータと、静脈パターン認識手段１１２及び指紋認識手段１１３の比較を行い、同じかどうか判定を行う為の照合手段であり、本発明の特徴となるものである。又、静脈パターン認識手段１１２と指紋認識手段１１３は併せて認識手段としての個人認識手段１１６の中で、それぞれの固有データの認識を行うものとする。そして、認識データ記憶手段１１４において、本画像形成装置で登録された情報と外部接続端末から登録された情報とを別の領域に記憶し、かつ管理することができるようになっている。
この場合、静脈パターンと指の指紋との組み合わせでオペレータの認識を行い、認識データ記憶手段１１４に登録された人間のみ利用する事ができ、手の甲の静脈パターン若しくは指の指紋に関する情報を所定のフォーマットで取り込み、個人別に登録する事ができ、接続される外部接続端末等から所定の形式にて読み取った手の甲の静脈パターン若しくは指の指紋に関する情報を外部接続端末等からＩＤ情報として登録できるようになっている。
したがって、このように構成された本画像形成装置では、ＩＤにおいても本システムでの登録と外部接続端末からの登録を識別・管理することができるので、所定の形式にて読み取った手の甲の静脈パターン若しくは指の指紋に関する情報という精度の高いＩＤに対してよりセキュリティ性を向上させることができる。
【０００７】
図２は、接続される端末等から登録されたＩＤ情報（接続される端末から所定の形式にて読み取った手の甲の静脈パターン若しくは指の指紋に関する情報）を予め定められたある一定期間後に消去するようにした場合の画像形成装置の動作を示すフローチャートである。図２において、認識データ記憶手段１１４に登録されたデータのうち、外部接続端末からの登録情報を蓄積している領域を定期的に監視し（ステップＳ１）、登録されてから現在に至るまでの期間が、所定の値に達したものが存在するならば、認識データ記憶手段１１４の該領域から該当データを消去する（ステップＳ２〜ステップＳ３）。したがって、特に外部接続端末からの登録ＩＤに対して利用期間制限を設けるので、更にセキュリティ性を高めることができる。
図３は、接続される端末等から登録されたＩＤ情報（接続される端末から所定の形式にて読み取った手の甲の静脈パターン若しくは指の指紋に関する情報）を消去するまでの期間を、任意に設定できるようにした場合の画像形成装置の動作を示すフローチャートである。この動作では、図３において、所定の操作を行う事により外部接続端末からの登録情報保存期間設定モードに入り、該任意の値に設定する事ができる（ステップＳ１１〜ステップＳ１２）。したがって、特に外部接続端末からの登録ＩＤに対して設ける利用制限期間を任意に設定できるので、高めたセキュリティ性に柔軟性を持たせ、状況に応じたセキュリティ対応を実現できる。
【図面の簡単な説明】
【０００８】
【図１】本発明を実施するための最良の形態である画像形成装置のブロック図である。
【図２】ＩＤ情報を予め定められた一定期間後に消去する場合の動作を示すフローチャートである。
【図３】ＩＤ情報を消去するまでの期間を任意に設定する場合の動作を示すフローチャートである。
【符号の説明】
【０００９】
１０１  ＣＰＵ
１０２  ＲＯＭ
１０３  ＲＡＭ
１０４  操作パネル
１０５  各種センサー
１０６  各種モーター
１０７  Ｉ／Ｏ制御部
１０８  スキャナ部
１０９  読取り制御部
１１０  プロッター部
１１１  書込み制御部
１１２  静脈パターン認識手段
１１３  指紋認識手段
１１４  認識データ記憶手段
１１５  照合手段
１１６  個人認識手段
１１７  画情報蓄積部
【図１】
2006347026.tif 000003
【図２】
2006347026.tif 000004
【図３】
2006347026.tif 000005